(57)【要約】【課題】ユーザの撮影動作を妨げることなく、無駄な画像の記録を防ぐ。【解決手段】撮像装置１００であって、被写体を撮像して画像データを生成する撮像部１と、撮像部により生成された画像データを記録する記録媒体５と、撮像動作直後に今回撮像された今回撮像画像ｇ２を表示する画像表示部３２と、今回撮像画像の表示後に操作されることによって撮像部による前回の撮像によって記録媒体に記録された前回画像データの削除を指示する前回削除ボタン４１ｇと、前回削除ボタンからの削除指示の入力に従って、記録媒体から前回画像データを削除する処理を行うＣＰＵ７１とを備えている。【選択図】図１
2008294924.tif 000002
【特許請求の範囲】
【請求項１】
被写体を撮像して画像情報を生成する撮像手段と、
前記撮像手段により生成された前記画像情報を記録する記録手段と、
撮像動作直後に今回撮像された今回撮像画像を表示する表示手段と、
前記今回撮像画像の表示後に操作されることによって前記撮像手段による前回の撮像によって前記記録手段に記録された前回画像情報の削除を指示する削除指示手段と、
前記削除指示手段からの削除指示の入力に従って、前記前回画像情報を削除する削除手段と、
を備えることを特徴とする撮像装置。
【請求項２】
前記削除手段は、
前記撮像手段による今回の撮像により生成された今回画像情報と前記記録手段に記録された前記前回画像情報とを比較して、画像の一致率が所定値以上であるか否かを判定する画像比較判定手段を備え、前記画像比較判定手段により前記一致率が所定値以上であると判定された場合に、前記前回画像情報を削除することを特徴とする請求項１に記載の撮像装置。
【請求項３】
被写体を撮像して画像情報を生成する撮像手段と、
前記撮像手段により生成された前記画像情報を記録する記録手段と、
前記撮像手段による前回の撮像によって前記記録手段に記録された前回画像情報と、前記撮像手段による今回の撮像によって生成された今回画像情報とを比較して、画像の一致率が所定値以上であるか否かを判定する画像比較判定手段と、
前記画像比較判定手段により前記一致率が所定値以上であると判定された場合に、前記記録手段から前記前回画像情報を削除する削除手段と、
を備えることを特徴とする撮像装置。
【請求項４】
前記撮像手段により生成された前記画像情報に基づいて、撮像画像を表示する表示手段と、
前記表示手段の表示画面に接触する接触位置を検出するタッチパネルと、
前記画像比較判定手段により前記一致率が所定値未満であると判定された場合に、前記撮像手段により今回撮像された今回撮像画像が前記表示手段に表示された後、前記タッチパネルの所定位置と対応付けられ、操作されることによって前記前回画像情報の削除を指示する削除ボタンを前記表示手段に表示させる削除ボタン表示制御手段と、を備え、
前記削除手段は、さらに、前記削除ボタンの接触操作に基づいて入力された削除指示に従って、前記記録手段から前記前回画像情報を削除することを特徴とする請求項３に記載の撮像装置。
【請求項５】
被写体を撮像して画像情報を生成する撮像手段と、前記撮像手段により生成された前記画像情報を記録する記録手段と、撮像動作直後に今回撮像された今回撮像画像を表示する表示手段と、前記今回撮像画像の表示後に操作されることによって前記撮像手段による前回の撮像によって前記記録手段に記録された前回画像情報の削除を指示する削除指示手段とを備える撮像装置に、
前記削除指示手段からの削除指示の入力に従って、前記前回画像情報を削除する機能を実現させることを特徴とするプログラム。
【請求項６】
被写体を撮像して画像情報を生成する撮像手段と、前記撮像手段により生成された前記画像情報を記録する記録手段とを備える撮像装置に、
前記撮像手段による前回の撮像によって前記記録手段に記録された前回画像情報と、前記撮像手段による今回の撮像によって生成された今回画像情報とを比較して、画像の一致率が所定値以上であるか否かを判定する機能と、
前記一致率が所定値以上であると判定された場合に、前記記録手段から前記前回画像情報を削除する機能と、
を実現させることを特徴とするプログラム。
【発明の詳細な説明】
【技術分野】
【０００１】
本発明は、撮像装置及びプログラムに関する。
【背景技術】
【０００２】
従来、ビジネスにおけるプレゼンテーションやセミナー等の会場にてスクリーンに表示されるスライド画面を撮影する場合、スライド枚数が多いと、メモリカードの記録容量が足りなくなる虞があるため、一枚のスライドに対して一度の撮影とするのが効率が良い。
【０００３】
ところで、スライド画面を撮影する場合、高倍率ズームを用いる事が多く、これに加えて環境条件が暗いため手ぶれが発生し易くなる。このため、一枚のスライドに対して１回の撮影ではうまくいかず、撮り直すケースが数多く生じて、一枚のスライドに対して複数枚の画像が記録されてしまい、メモリカードの記録容量を圧迫する。
なお、撮影中に画像を整理しようとしても、一度再生モードに変更し、画像を確認して削除した後、撮影モードに戻して、ズームを戻したりカメラによっては露出やフラッシュの設定なども戻さなければならない。このような煩雑な操作は時間がかかるため、結局複数枚撮影してしまうこととなる。
このような不都合を避けるため、撮影状態を自動的に判別し、これをユーザに警告することで失敗画像を記録しないようにしたカメラが知られている（例えば、特許文献１参照）。
【特許文献１】特開２００６−２５３７６１号公報
【発明の開示】
【発明が解決しようとする課題】
【０００４】
しかしながら撮影状態がよくないと判定される度にユーザに警告し消去動作を促していたのでは、シャッターチャンスを逃す可能性があり、所望の被写体が短時間しか存在しないような場合には結局その画像を得ることが出来ないと言うことも起こりうる。
そこで、本発明の課題は、ユーザの撮影動作を妨げることなく、無駄な画像の記録を防ぐことができる撮像装置及びプログラムを提供することである。
【課題を解決するための手段】
【０００５】
請求項１に記載の発明の撮像装置は、
被写体を撮像して画像情報を生成する撮像手段と、
前記撮像手段により生成された前記画像情報を記録する記録手段と、
撮像動作直後に今回撮像された今回撮像画像を表示する表示手段と、
前記今回撮像画像の表示後に操作されることによって前記撮像手段による前回の撮像によって前記記録手段に記録された前回画像情報の削除を指示する削除指示手段と、
前記削除指示手段からの削除指示の入力に従って、前記前回画像情報を削除する削除手段と、
を備えることを特徴としている。
【０００６】
請求項２に記載の発明は、請求項１に記載の撮像装置において、
前記削除手段は、
前記撮像手段による今回の撮像により生成された今回画像情報と前記記録手段に記録された前記前回画像情報とを比較して、画像の一致率が所定値以上であるか否かを判定する画像比較判定手段を備え、前記画像比較判定手段により前記一致率が所定値以上であると判定された場合に、前記前回画像情報を削除することを特徴としている。
【０００７】
請求項３に記載の発明の撮像装置は、
被写体を撮像して画像情報を生成する撮像手段と、
前記撮像手段により生成された前記画像情報を記録する記録手段と、
前記撮像手段による前回の撮像によって前記記録手段に記録された前回画像情報と、前記撮像手段による今回の撮像によって生成された今回画像情報とを比較して、画像の一致率が所定値以上であるか否かを判定する画像比較判定手段と、
前記画像比較判定手段により前記一致率が所定値以上であると判定された場合に、前記記録手段から前記前回画像情報を削除する削除手段と、
を備えることを特徴としている。
【０００８】
請求項４に記載の発明は、請求項３に記載の撮像装置において、
前記撮像手段により生成された前記画像情報に基づいて、撮像画像を表示する表示手段と、
前記表示手段の表示画面に接触する接触位置を検出するタッチパネルと、
前記画像比較判定手段により前記一致率が所定値未満であると判定された場合に、前記撮像手段により今回撮像された今回撮像画像が前記表示手段に表示された後、前記タッチパネルの所定位置と対応付けられ、操作されることによって前記前回画像情報の削除を指示する削除ボタンを前記表示手段に表示させる削除ボタン表示制御手段と、を備え、
前記削除手段は、さらに、前記削除ボタンの接触操作に基づいて入力された削除指示に従って、前記記録手段から前記前回画像情報を削除することを特徴としている。
【０００９】
請求項５に記載の発明のプログラムは、
被写体を撮像して画像情報を生成する撮像手段と、前記撮像手段により生成された前記画像情報を記録する記録手段と、撮像動作直後に今回撮像された今回撮像画像を表示する表示手段と、前記今回撮像画像の表示後に操作されることによって前記撮像手段による前回の撮像によって前記記録手段に記録された前回画像情報の削除を指示する削除指示手段とを備える撮像装置に、
前記削除指示手段からの削除指示の入力に従って、前記前回画像情報を削除する機能を実現させることを特徴としている。
【００１０】
請求項６に記載の発明のプログラムは、
被写体を撮像して画像情報を生成する撮像手段と、前記撮像手段により生成された前記画像情報を記録する記録手段とを備える撮像装置に、
前記撮像手段による前回の撮像によって前記記録手段に記録された前回画像情報と、前記撮像手段による今回の撮像によって生成された今回画像情報とを比較して、画像の一致率が所定値以上であるか否かを判定する機能と、
前記一致率が所定値以上であると判定された場合に、前記記録手段から前記前回画像情報を削除する機能と、
を実現させることを特徴としている。
【発明の効果】
【００１１】
本発明によれば、今回の被写体の撮像後に、モードを変更することなく記録手段に記録された前回画像情報を容易に削除することができ、これにより、ユーザの撮影動作を妨げることなく、無駄な画像の記録を防ぐことができる。
【発明を実施するための最良の形態】
【００１２】
以下に、本発明について、図面を用いて具体的な態様を説明する。ただし、発明の範囲は、図示例に限定されない。
【００１３】
［実施形態１］
図１は、本発明を適用した実施形態１の撮像装置１００の概略構成を示すブロック図である。また、図２は、撮像装置１００の背面図である。
実施形態１の撮像装置１００は、撮像部１により今回撮像された画像ｇ２（図３（ｂ）参照）が画像表示部３２に表示された後、前回削除ボタン４１ｇの操作に基づいて、撮像部１による前回の撮像によって記録媒体５に記録された前回画像データを削除する。
具体的には、撮像装置１００は、図１に示すように、撮像部１と、撮像補助部２と、表示部３、操作部４と、記録媒体５と、ＵＳＢ端子６と、制御部７等を備えて構成されている。
【００１４】
撮像部１は、撮像手段として、被写体を連続して撮像して複数の画像フレームＦ、…を生成する。具体的には、撮像部１は、撮像レンズ群１１と、電子撮像部１２と、映像信号処理部１３と、画像メモリ１４と、撮影制御部１５等を備えている。
【００１５】
撮像レンズ群１１は、複数の撮像レンズから構成されている。
電子撮像部１２は、撮像レンズ群１１を通過した被写体像を二次元の画像信号に変換するＣＣＤ（Charge Coupled Device）やＣＭＯＳ（Complementary Metal-oxide Semiconductor）等の撮像素子から構成されている。
映像信号処理部１３は、電子撮像部１２から出力される画像信号に対して所定の画像処理を施すものである。
画像メモリ１４は、画像処理後の画像信号を一時的に記憶する。
【００１６】
上記構成の撮像部１は、被写体を撮像して撮像画像データ（画像信号）を取得する撮像手段を構成している。
【００１７】
撮像補助部２は、撮像部１による被写体の撮像の際に駆動するものであり、例えば、フォーカス駆動部２１と、ズーム駆動部２２等を備えている。
【００１８】
フォーカス駆動部２１は、撮像レンズ群１１に接続されたフォーカス機構部（図示略）を駆動させる。
ズーム駆動部２２は、撮像レンズ群１１に接続されたズーム機構部（図示略）を駆動させる。
なお、フォーカス駆動部２１及びズーム駆動部２２は、撮影制御部１５に接続され、撮影制御部１５の制御下にて駆動する。
【００１９】
表示部３は、撮像部１により撮像された画像を表示するものであり、表示画面を撮像装置１００の背面側から露出させるように配設されている。また、表示部３は、例えば、表示制御部３１と、画像表示部３２等を備えている。
【００２０】
表示制御部３１は、ＣＰＵ７１から適宜出力される表示データを一時的に保存するビデオメモリ（図示略）を備えている。
【００２１】
画像表示部３２は、表示手段として、表示制御部３１からの出力信号に基づいて表示画面に所定の画像や情報を表示する。即ち、画像表示部３２は、撮像部１により撮像されるプレビュー画像を表示したり、記録媒体５に記録される本撮像画像の確認用のレックビュー画像ｇ１、ｇ２（図３（ａ）及び図３（ｂ）等参照）を一時的に表示する。
【００２２】
また、画像表示部３２は、前回画像データ（後述）の削除の際に、今回画像データとの一致率が所定値未満の場合に、削除確認メッセージｍ、例えば、「１コマ前の写真を削除します。よろしいですか？（はい−Ｅｎｔｅｒ）」等を前回撮像画像ｇ１の上側に表示する（図４参照）。
【００２３】
操作部４は、当該撮像装置１００の所定操作を行うためのものであり、例えば、操作入力部４１と、入力回路４２等を備えている。
【００２４】
操作入力部４１は、例えば、撮像部１による被写体の撮像を指示するシャッターボタン４１ａ、ズームボタン４１ｂ、選択決定用ボタン４１ｃ、メニューボタン４１ｄ、モード変更ボタン４１ｅ、削除ボタン４１ｆ、前回削除ボタン４１ｇ等を備えている。
【００２５】
シャッターボタン４１ａは、例えば、撮像装置１００の上面側に設けられ、撮像部１による被写体の撮像を指示する。
ズームボタン４１ｂは、例えば、シャッターボタン４１ａの近傍に設けられ、ワイド側又はテレ側にズームを変更する。
選択決定用ボタン４１ｃは、例えば、撮像装置１００の背面側に設けられ、各種指示情報の選択を行うカーソルボタンｃ１と、これらカーソルボタンｃ１の内側に設けられたＥｎｔｅｒボタンｃ２等を備えている。
メニューボタン４１ｄは、選択決定用ボタン４１ｃの左下に設けられ、各種メニューの表示を指示する。
モード変更ボタン４１ｅは、選択決定用ボタン４１ｃの右下に設けられ、静止画撮像モード、動画撮像モードや再生モード等の各種モードの変更を指示する。
削除ボタン４１ｆは、選択決定用ボタン４１ｃの右上に設けられ、再生モードにて画像表示部３２に表示されている画像に係る画像データの記録媒体５からの削除を指示する。
前回削除ボタン４１ｇは、選択決定用ボタン４１ｃの左上に設けられ、静止画撮像モードにて、画像表示部３２に被写体の今回の撮像後のレックビュー画像ｇ２が表示されている際に、前回撮像された撮像画像ｇ１に係る前回画像データの記録媒体５からの削除を指示する。ここで、前回削除ボタン４１ｇは、前回画像データの削除を指示する削除指示手段を構成している。
【００２６】
入力回路４２は、操作入力部４１から出力され入力された操作信号をＣＰＵ７１に入力するためのものである。
【００２７】
記録媒体５は、例えば、カード型の不揮発性メモリ（フラッシュメモリ）やハードディスク等により構成され、撮像部１により撮像された画像の画像ファイルを複数記憶する。
【００２８】
ＵＳＢ端子６は、外部機器との接続用の端子であり、ＵＳＢケーブル（図示略）等を介してデータの送受信を行う。
【００２９】
制御部７は、撮像装置１００の各部を制御するものであり、例えば、ＣＰＵ７１と、プログラムメモリ７２と、データメモリ７３等を備えている。
【００３０】
ＣＰＵ７１は、プログラムメモリ７２に記憶された撮像装置１００用の各種処理プログラムに従って各種の制御動作を行うものである。
【００３１】
データメモリ７３は、例えば、フラッシュメモリ等により構成され、ＣＰＵ７１によって処理されるデータ等を一時記憶する。具体的には、データメモリ７３は、撮像部１により生成された今回画像データや記録媒体５から読み出された前回画像データを一時的に記憶する。
【００３２】
プログラムメモリ７２は、ＣＰＵ７１の動作に必要な各種プログラムやデータを記憶するものである。具体的には、プログラムメモリ７２は、画像比較判定プログラム７２ａ、第一削除プログラム７２ｂ等を記憶している。
【００３３】
画像比較判定プログラム７２ａは、ＣＰＵ７１を画像比較判定手段として機能させるものである。即ち、画像比較判定プログラム７２ａは、撮像部１による所定の被写体の前回の撮像によって記録媒体５に記録された前回撮像画像ｇ１（図３（ａ）参照）に係る前回画像データと、撮像部１による今回の撮像により生成された今回撮像画像ｇ２（図３（ｂ）参照）に係る今回画像データとを比較して、画像の一致率が所定値以上であるか否かを判定する画像比較判定処理に係る機能をＣＰＵ７１に実現させるためのプログラムである。
具体的には、ＣＰＵ７１が画像比較判定プログラム７２ａを実行することで、記録媒体５から前回画像データを読み出し、当該前回画像データと撮像部１による生成された今回画像データとの各画素の画像情報（ピクセルデータ）が一致しているか否かを比較して、一致する画素の総数が所定値（例えば、６０％）以上であるか否かを判定する。
【００３４】
第一削除プログラム７２ｂは、ＣＰＵ７１を削除手段として機能させるものである。即ち、第一削除プログラム７２ｂは、撮像部１により撮像された今回の撮像画像ｇ２が画像表示部３２に表示された後、ユーザによる前回削除ボタン４１ｆの所定操作に基づいて出力された前回画像データの削除指示の入力に従って、記録媒体５に記録された前回画像データを削除する削除処理に係る機能をＣＰＵ７１に実現させるためのプログラムである。
具体的には、ＣＰＵ７１が第一削除プログラム７２ｂを実行することで、画像比較判定処理にて、前回画像データと今回画像データの一致率が所定値以上であると判定された場合に、前回画像データを記録媒体５から削除する処理を行う。例えば、図３（ａ）及び図３（ｂ）のように、略同一の被写体（例えば、スライド画面等）を対象として連続して撮像した場合には、２枚連続して画像データが記録媒体５に記録されることとなるが、このとき、前回撮像画像ｇ１（図３（ａ）参照）と今回撮像画像ｇ２（図３（ｂ）参照）との画像比較処理を行う。そして、前回撮像画像ｇ１が手ぶれ等によりぼけて撮像されていた場合、それよりも鮮明に撮像された今回撮像画像ｇ２のみを記録媒体５に保存記録するため、画像比較判定処理の結果、画像の一致率が所定値以上であると判定されると、前回撮像画像ｇ１に係る前回画像データを記録媒体５から削除する。
【００３５】
次に、撮像処理について図５及び図６を参照して説明する。
図５は、撮像処理に係る動作の一例を示すフローチャートである。
【００３６】
図５に示すように、先ず、ユーザによる操作部４の所定操作に基づいて露出条件やズーム等が設定され、シャッターボタン４１ａの押圧操作に基づいて出力された撮像指示が入力されると（ステップＳ１；ＹＥＳ）、ＣＰＵ７１は、撮像部１を制御して、被写体の撮像処理を行う（ステップＳ２）。
次に、ＣＰＵ７１は、表示部を制御して、撮像部１により今回撮像された撮像画像のレックビュー画像ｇ２（図３（ｂ）参照）を画像表示部３２に表示する（ステップＳ３）。
【００３７】
そして、ユーザによる前回削除ボタン４１ｇが操作されると、即ち、前回撮像画像ｇ１を削除する場合（ステップＳ４；ＹＥＳ）、ＣＰＵ７１は、記録媒体５に複数の画像データが記録されているか否かを判定する（ステップＳ５）。
ここで、複数の画像データが記録されていると判定されると（ステップＳ５；ＹＥＳ）、ＣＰＵ７１は、前回分削除処理を実行する（ステップＳ６）。
【００３８】
なお、ステップＳ４にて、前回削除ボタン４１ｇが操作されていないと判定されるか（ステップＳ４；ＮＯ）、或いは、ステップＳ５にて、複数の画像データが記録されていないと判定された場合（ステップＳ５；ＮＯ）、ステップＳ１に戻る。
【００３９】
次に、前回分削除処理について図６を参照して説明する。
図６は、前回分削除処理に係る動作の一例を示すフローチャートである。
【００４０】
図６に示すように、先ず、ＣＰＵ７１は、プログラムメモリ７２内の画像比較判定プログラム７２ａの部分を実行し、記録媒体５から前回画像データを読み出して取得し（ステップＳ６１）、続けて、今回画像データをデータメモリから取得する（ステップＳ６２）。そして、ＣＰＵ７１は、前回画像データ及び今回画像データについて、所定位置のピクセルデータを取得して比較し（ステップＳ６３）、これらピクセルデータが一致しているか否かを判定する（ステップＳ６４）。
ここで、ピクセルデータが一致していると判定されると（ステップＳ６４；ＹＥＳ）、ＣＰＵ７１は、一致点数を加算する処理を行う（ステップＳ６５）。
【００４１】
続けて、ＣＰＵ７１は、前回画像データ及び今回画像データについて、全てのピクセルデータについて比較したか否かを判定する（ステップＳ６６）。また、ステップＳ６４にて、ピクセルデータが一致していないと判定された場合にも（ステップＳ６４；ＮＯ）、ＣＰＵ７１は、ステップＳ６６の処理を実行する。
ここで、全てのピクセルデータについて比較していないと判定されると（ステップＳ６６；ＮＯ）、ステップＳ６３に戻る。
【００４２】
一方、ステップＳ６６にて、全てのピクセルデータについて比較したと判定されると（ステップＳ６６；ＹＥＳ）、ＣＰＵ７１は、前回画像データ及び今回画像データの一致率が６０％以上であるか否かを判定する（ステップＳ６７）。
ここで、一致率が６０％以上であると判定されると（ステップＳ６７；ＹＥＳ）、ＣＰＵ７１は、プログラムメモリ７２内の第一削除プログラム７２ｂの部分を実行し、記録媒体５から前回画像データを削除する処理を行う（ステップＳ６８）。
また、ステップＳ６７にて、一致率が６０％以上ではないと判定されると（ステップＳ６７；ＮＯ）、ＣＰＵ７１は、前回画像データに基づいて前回撮像画像ｇ１を画像表示部３２に表示させ（ステップＳ６９）、その後、削除確認メッセージｍ（例えば、「１コマ前の写真を削除します。よろしいですか？（はい−Ｅｎｔｅｒ）」）を画像表示部３２に表示させる（ステップＳ７０；図４参照）。そして、Ｅｎｔｅｒボタンｃ２の操作に基づいて削除実行指示が入力されると（ステップＳ７１；ＹＥＳ）、ＣＰＵ７１は、ステップＳ６８の処理を実行する。
【００４３】
なお、ステップＳ７０にて、削除実行指示が入力されない場合（ステップＳ７１；ＮＯ）、当該前回画像データの削除を中止する。
【００４４】
以上のように、実施形態１の撮像装置１００によれば、画像表示部３２に今回の撮像画像ｇ２が表示された状態で、当該撮像画像ｇ２が前回に比べて良く撮れているとユーザに判断され、前回削除ボタン４１ｇが操作されると、ＣＰＵ７１は、前回削除ボタン４１ｇからの削除指示の入力に従って、撮像部１による前回の撮像によって記録媒体５に記録された前回画像データを削除する処理を行う。
具体的には、撮像部１による今回の撮像により生成された今回画像データと記録媒体５に記録された前回画像データとを比較して、画像どうしの一致率が所定値以上であると判定されると、前回画像データを削除する一方で、一致率が所定値未満であると判定されると、削除確認メッセージｍを表示する。
従って、今回の被写体の撮像後に、操作部４の所定操作等に従ってモードを変更することなく記録媒体５に記録された前回画像データを容易に削除することができ、ユーザの撮影動作を妨げることなく、無駄な画像の記録を防ぐことができる。
【００４５】
また、今回画像データと前回画像データの一致率に応じて、前回画像データを削除したり、削除確認メッセージを表示するので、画像どうしの一致率が所定値以上の場合には、略同一の被写体の前回画像データの削除を迅速に行うことができる一方で、一致率が所定値未満の場合には、ユーザの削除意志を確認することができ、略同一ではない被写体の画像データが誤って削除されてしまうことを防止することができる。
【００４６】
なお、上記実施形態１にあっては、画像比較判定処理を行うようにしたが、これに限られるものではなく、画像比較判定処理を行うか否かは適宜任意に変更することができる。
【００４７】
［実施形態２］
実施形態２の撮像装置２００は、前回削除モードに設定された状態で、前回画像データと今回画像データの一致率が所定値以上であると判定されると、記録媒体５から前回画像データを自動的に削除し、一致率が所定値未満であると判定されると、前回画像データの削除を指示する前回削除ボタン４１ｇを画像表示部３２に表示する。
【００４８】
図７は、本発明を適用した実施形態２の撮像装置２００の概略構成を示すブロック図である。
図７に示すように、実施形態２の撮像装置２００は、操作入力部４１に、タッチパネル４１ｈを備えている。
【００４９】
タッチパネル４１ｈは、画像表示部３２と一体となって設けられ、表示画面に接触するユーザの手やペン等の接触位置を検出する。即ち、タッチパネル４１ｈは、例えば、表示画面上或いは表示画面よりも内側に設けられ、抵抗膜方式、超音波表面弾性波方式、静電容量方式等の方式により、表示画面上における接触位置のＸＹ座標を検出する。そして、タッチパネル４１ｈは、接触位置のＸＹ座標に係る位置信号をＣＰＵ７１に出力する。
【００５０】
画像表示部３２は、後述する削除ボタン表示制御処理にて、タッチパネル４１ｈの所定位置と重なるように前回削除ボタン１４１ｇを表示する（図８参照）。
【００５１】
プログラムメモリ７２には、画像比較判定プログラム７２ａに加えて、第二削除プログラム７２ｃ及び削除ボタン表示制御プログラム７２ｄが記憶されている。
【００５２】
第二削除プログラム７２ｃは、ＣＰＵ７１を削除手段として機能させるものである。即ち、第二削除プログラム７２ｃは、画像比較判定処理にて前回画像データ及び今回画像データの一致率が所定値以上であると判定された場合に、記録媒体５から前回画像データを削除する処理に係る機能をＣＰＵ７１に実現させるためのプログラムである。
具体的には、モード変更ボタン４１ｅの所定操作に基づいて、前回画像データを自動的に削除する前回削除モードに設定された状態で、撮像部１により被写体の撮像が行われると、毎撮像処理後に、ＣＰＵ７１は、前回分削除処理を実行する。そして、前回画像データ及び今回画像データの一致率が所定値以上であると判定されると、ＣＰＵ７１が第二削除プログラム７２ｃを実行することで、記録媒体５から前回画像データを削除する処理を自動的に行う。
【００５３】
また、削除ボタン表示制御処理（後述）にて画像表示部３２に表示された前回削除ボタン１４１ｇの押圧操作に基づいて削除指示が入力されると、ＣＰＵ７１が第二削除プログラム７２ｃを実行することで、記録媒体５から前回画像データを削除する処理を行う。
【００５４】
削除ボタン表示制御プログラム７２ｄは、ＣＰＵ７１を削除ボタン表示制御手段として機能させるものである。即ち、削除ボタン表示制御プログラム７２ｄは、画像比較判定処理にて前回画像データと今回画像データの一致率が所定値未満であると判定された場合に、撮像部１により撮像された前回と略同一の被写体の撮像画像が画像表示部３２に表示された後、前回削除ボタン１４１ｇ（図８参照）を画像表示部３２に表示させる削除ボタン表示制御処理に係る機能をＣＰＵ７１に実現させるためのプログラムである。
【００５５】
次に、撮像処理について図９及び図１０を参照して説明する。
図９は、撮像処理に係る動作の一例を示すフローチャートである。また、図１０は、前回分削除処理に係る動作の一例を示すフローチャートである。
なお、以下の撮像処理にあっては、被写体の毎撮像ごとに前回分削除処理を行う以外の処理は、実施形態１におけるものと略同様であり、その詳細な説明については省略するものとする。
【００５６】
図９に示すように、先ず、ユーザによる操作部４のモード変更ボタン４１ｅの所定操作に基づいて前回削除モードに設定される（ステップＳ１０１）。
その後、ＣＰＵ７１の制御下にて、シャッターボタン４１ａの押圧操作に従って被写体の撮像処理を行い（ステップＳ１及びＳ２）、撮像画像のレックビュー画像ｇ２を画像表示部３２に表示する（ステップＳ３）。
次に、ＣＰＵ７１は、記録媒体５に複数の画像データが記録されているか否かを判定して（ステップＳ５）、複数の画像データが記録されていると判定されると（ステップＳ５；ＹＥＳ）、ＣＰＵ７１は、前回分削除処理を実行する（ステップＳ１０６）。
【００５７】
前回分削除処理にあっては、図１０に示すように、ＣＰＵ７１は、プログラムメモリ７２内の画像比較判定プログラム７２ａの部分を実行し、前回画像データと今回画像データの一致率が６０％以上であるか否かを判定する（ステップＳ６１〜６７）。
ここで、一致率が６０％以上であると判定されると（ステップＳ６７；ＹＥＳ）、ＣＰＵ７１は、プログラムメモリ７２内の第二削除プログラム７２ｃの部分を実行し、記録媒体５から前回画像データを削除する処理を行う（ステップＳ１６８）。
一方、ステップＳ６７にて、一致率が６０％以上ではないと判定されると（ステップＳ６７；ＮＯ）、ＣＰＵ７１は、前回撮像画像ｇ１を画像表示部３２に表示させ（ステップＳ６９）、その後、プログラムメモリ７２内の削除ボタン表示制御プログラム７２ｄの部分を実行して、前回削除ボタン１４１ｇを画像表示部３２に表示させる（ステップＳ１７０；図８参照）。そして、前回削除ボタン１４１ｇの押圧操作に基づいて削除実行指示が入力されると（ステップＳ１７１；ＹＥＳ）、ＣＰＵ７１は、ステップＳ１６８の処理を実行する。
【００５８】
なお、ステップＳ１７１にて、削除実行指示が入力されない場合（ステップＳ１７１；ＮＯ）、当該前回画像データの削除を中止する。
【００５９】
以上のように、実施形態２の撮像装置２００によれば、前回削除モードに設定された状態で、撮像部１による被写体の撮像が行われると、今回の撮像により生成された今回画像データと、記録媒体５に記録された前回画像データとを比較して、画像どうしの一致率が所定値以上であると判定されると、記録媒体５から前回画像データを削除する処理を自動的に行う。
従って、今回の被写体の撮像後に、操作部４の所定操作等に従ってモードを変更することなく記録媒体５に記録された前回画像データを容易に削除することができ、ユーザの撮影動作を妨げることなく、無駄な画像の記録を防ぐことができる。
【００６０】
また、画像どうしの一致率が所定値未満であると判定されると、前回画像データの削除を指示する前回削除ボタン１４１ｇを表示する。即ち、画像表示部３２に前回と略同一の被写体の撮像画像ｇ２が表示された状態で、当該撮像画像ｇ２が前回に比べて画像どうしの一致率は低いものの比較的良く撮れているとユーザに判断され、前回削除ボタン１４１ｇが操作されると、ＣＰＵ７１は、前回削除ボタン１４１ｇからの削除指示の入力に従って、前回画像データを削除するので、ユーザの削除意志を確認して、前回画像データの削除を適正に行うことができる。
【００６１】
なお、上記実施形態２にあっては、タッチパネル４１ｈが一体となって配設された画像表示部３２に表示された前回削除ボタン１４１ｇの接触操作に基づいて、前回画像データを削除するようにしたが、撮像装置の構成はこれに限られるものではない。即ち、タッチパネル４１ｈを備えなくとも、例えば、画像表示部３２に表示される前回削除ボタン１４１ｇを操作入力部４１の所定のボタンと対応付けて、例えば、「前回削除ボタン−Ｅｎｔｅｒ）」等を画像表示部３２に表示するようにしても良い。
さらに、画像どうしの一致率が所定値未満であった場合に、前回削除ボタン１４１ｇを表示させるようにしたが、これに限られるものではなく、前回削除ボタン１４１ｇを表示させるか否かは適宜任意に変更することができ、画像どうしの一致率が所定値未満であった場合には、前回画像データの削除を行わないようにしても良い。
【００６２】
また、上記実施形態２にあっては、被写体の撮像前に、モード変更ボタン４１ｅの所定操作に基づいて前回削除モードに設定するようにしたが、これに限られるものではなく、例えば、電源の投入後に自動的に前回削除モードに設定されるようにしても良いし、前回削除モードに設定しなくとも前回分削除処理を必ず行うような構成としても良い。
【００６３】
なお、本発明は、上記実施形態１及び２に限定されることなく、本発明の趣旨を逸脱しない範囲において、種々の改良並びに設計の変更を行っても良い。
例えば、画像どうしの一致率が所定値未満であった場合に、前回撮像画像ｇ１を表示させるようにしたが、前回撮像画像ｇ１を表示させるか否かは適宜変更することができる。即ち、前回撮像画像ｇ１を表示させることなく、レックビュー画像として今回撮像画像ｇ２が表示された状態のままであっても良い。
また、撮像装置１００、２００の構成は、上記実施形態に例示したものは一例であり、これに限られるものではない。
【００６４】
加えて、上記実施形態では、削除手段、画像比較判定手段及び削除ボタン表示制御手段としての機能を、ＣＰＵ７１によって所定のプログラム等が実行されることにより実現される構成としたが、これに限られるものではなく、例えば、各種機能を実現するためのロジック回路等から構成しても良い。
【図面の簡単な説明】
【００６５】
【図１】本発明を適用した実施形態１の撮像装置の概略構成を示すブロック図である。
【図２】図１の撮像装置の背面図である。
【図３】図１の撮像装置の画像表示部に表示されたレックビュー画像の一例を模式的に示す図である。
【図４】図３の画像表示部に表示されたレックビュー画像の一例を模式的に示す図である。
【図５】図１の撮像装置による撮像処理に係る動作の一例を示すフローチャートである。
【図６】図５の撮像処理の前回分削除処理に係る動作の一例を示すフローチャートである。
【図７】本発明を適用した実施形態２の撮像装置の概略構成を示すブロック図である。
【図８】図７の撮像装置の画像表示部に表示されたレックビュー画像の一例を模式的に示す図である。
【図９】図７の撮像装置による撮像処理に係る動作の一例を示すフローチャートである。
【図１０】図９の撮像処理の前回分削除処理に係る動作の一例を示すフローチャートである。
【符号の説明】
【００６６】
１００、２００  撮像装置
１      撮像部（撮像手段）
３      表示部
３２    画像表示部（表示手段）
４      操作部
４１ｇ、１４１ｇ  前回削除ボタン（削除指示手段）
４１ｈ  タッチパネル
５      記録媒体（記録手段）
７１    ＣＰＵ（削除手段、画像比較判定手段、削除ボタン表示制御手段）
ｇ１    前回撮像画像
ｇ２    今回撮像画像
【図１】
2008294924.tif 000003
【図２】
2008294924.tif 000004
【図３】
2008294924.tif 000005
【図４】
2008294924.tif 000006
【図５】
2008294924.tif 000007
【図６】
2008294924.tif 000008
【図７】
2008294924.tif 000009
【図８】
2008294924.tif 000010
【図９】
2008294924.tif 000011
【図１０】
2008294924.tif 000012